(57)【要約】
【課題】紫外線照射下においてのみ筆記した文字や図柄を視認させる趣味用具、娯楽用具等として実用性に優れた筆記具を提供する。
【解決手段】ペン本体部１０のインク収容部に、紫外線照射下においてのみ視認可能となるインクが収容され、ペン本体部１０を構成するボディー部１１とは別途に成形され、かつ該ボディー部１１に連結可能に形成された支持部材としてのキャップ２０に、紫外線照射部２２を設けた構成である。従って、紫外線照射部２２を有する支持部材としてのキャップ２０は、ペン本体部１０に対して実質的に一体化して提供されることになり、紙等にペン本体部１０を動かして任意の文字や図柄を記したならば、キャップ２０に付設された紫外線照射部２２から紫外線を照射することで、記した文字や図柄を視認することができ、全く別々の部材として提供される場合と比較して、一方を探したり、無くしたりすることが少なくなる。
【選択図】図１
0003099008.tif 000002
【実用新案登録請求の範囲】
【請求項１】
　インクを収容したインク収容部と、前記インク収容部に収容されたインクを誘導する芯部材と、前記インク収容部及び芯部材を支持するボディー部とを備えたペン本体部を有する筆記具において、
　前記ペン本体部のインク収容部に、紫外線照射下においてのみ視認可能となるインクが収容され、
　前記ペン本体部を構成するボディー部とは別途に成形され、かつ該ボディー部に連結可能に形成された支持部材に、紫外線照射部を設けたことを特徴とする筆記具。
【請求項２】
　前記支持部材が、前記ペン本体部の芯部材側に着脱可能に装着されるキャップからなり、該キャップに紫外線照射部を設けたことを特徴とする請求項１記載の筆記具。
【請求項３】
　前記支持部材が、前記ペン本体部を構成するボディー部の後端に装着される尾栓からなり、該尾栓に紫外線照射部を設けたことを特徴とする請求項１記載の筆記具。
【請求項４】
　前記支持部材が、前記ペン本体部の芯部材側に着脱可能に装着されるキャップに連結可能な筒状部材から構成され、該筒状部材に紫外線照射部を設けたことを特徴とする請求項１記載の筆記具。
【請求項５】
　前記支持部材が、前記ペン本体部の尾栓側からボディー部に連結可能な筒状部材から構成され、該筒状部材に紫外線照射部を設けたことを特徴とする請求項１記載の筆記具。
【考案の詳細な説明】
【技術分野】
【０００１】
　本考案は筆記具に関し、特に、紫外線照射により発色するインクを用いた筆記具に関する。
【背景技術】
【０００２】
　従来、可視光下では視認できないが、紫外線照射により発色するインクが知られており、クレジットカードや各種チケットなどにかかるインクを用いて任意の文字や図柄を印刷し、偽造防止に役立てることなどが行われている。一方、かかるインクを用いたサインペンなども実用化されており、このサインペンで任意に文字や図柄を記し、紫外線を照射するライトを用いて初めて、記した文字や図柄を視認可能とさせる趣味用具、娯楽用具としての用途も知られている。しかしながら、これらのサインペンやライトはいずれも、一般家庭ではほとんど常備されていない特殊なものであり、いずれか一方を入手したとしても娯楽用具等として楽しむことはできない。
【０００３】
　このようなことから、これらのサインペンやライトを趣味用具や娯楽用具等として用いる場合には、両者をセットで提供することが多い。しかしながら、セットで提供してもサインペンで筆記した後に、ライトを探すのに手間取ったり、いずれかを無くしてしまったりすることもある。また、持ち運ぶ際にも、両者を必ず一緒に持ち運ばなければならず、不便である。このため、特許文献１には、サインペンとライトを一体化した筆記具が提案されている。
【０００４】
　しかし、特許文献１に開示された筆記具の場合には、サインペンのペン本体部そのものの構造を変更し、ライトを一体化している。すなわち、インク及び芯部材を保持するペン本体部のボディー部の後端に電池を内蔵させ、かつ芯部材に並列に紫外線照射部としてのライトを設けるため、ボディー部の側部に配線収容部を形成した構造としている。従って、これを実現するためには、ボディー部としては、通常のものを用いることはできず、専用の型を用いて成形する必要があり、また、それに併せてキャップや尾栓の形態も変更しなければならず、製造コストが大幅に高くなり、実用性に欠ける。
【特許文献１】特開２００２−３２２４０２号公報（段落番号（００１９）−（００２０）、図４−図５）
【考案の開示】
【考案が解決しようとする課題】
【０００５】
　本考案は上記に鑑みなされたものであり、ペン本体部として通常用いられている形態と同様のものを使用でき、ペン本体部自体の製造工程を従来と変更することなく、紫外線照射部を実質的に一体化し、通常のサインペン等と比較して、製造コストの上昇を最小限に抑えることができ、紫外線照射下においてのみ筆記した文字や図柄を視認させる趣味用具、娯楽用具等として実用性に優れた筆記具を提供することを課題とする。
【課題を解決するための手段】
【０００６】
　上記課題を解決するため、本考案は、インクを収容したインク収容部と、前記インク収容部に収容されたインクを誘導する芯部材と、前記インク収容部及び芯部材を支持するボディー部とを備えたペン本体部を有する筆記具において、前記ペン本体部のインク収容部に、紫外線照射下においてのみ視認可能となるインクが収容され、前記ペン本体部を構成するボディー部とは別途に成形され、かつ該ボディー部に連結可能に形成された支持部材に、紫外線照射部を設けたことを特徴とする。
【０００７】
　前記支持部材は、前記ペン本体部の芯部材側に着脱可能に装着されるキャップからなり、該キャップに紫外線照射部を設けた構成とすることができる。
【０００８】
　前記支持部材は、前記ペン本体部を構成するボディー部の後端に装着される尾栓からなり、該尾栓に紫外線照射部を設けた構成とすることができる。
【０００９】
　前記支持部材は、前記ペン本体部の芯部材側に着脱可能に装着されるキャップに連結可能な筒状部材から構成され、該筒状部材に紫外線照射部を設けた構成とすることができる。
【００１０】
　前記支持部材は、前記ペン本体部の尾栓側からボディー部に連結可能な筒状部材から構成され、該筒状部材に紫外線照射部を設けた構成とすることができる。
【考案の効果】
【００１１】
　本考案の筆記具は、ペン本体部のインク収容部に、紫外線照射下においてのみ視認可能となるインクが収容され、ペン本体部を構成するボディー部とは別途に成形され、かつ該ボディー部に連結可能に形成された支持部材に、紫外線照射部を設けた構成である。従って、紫外線照射部を有する支持部材は、ペン本体部に対して実質的に一体化して提供されることになり、紙等にペン本体部を動かして任意の文字や図柄を記したならば、支持部材に付設された紫外線照射部から紫外線を照射することで、記した文字や図柄を視認することができ、全く別々の部材として提供される場合と比較して、一方を探したり、無くしたりすることが少なくなる。
【００１２】
　また、紫外線照射部を備えた支持部材は、ペン本体部とは別途に成形されるものであるため、紫外線照射下においてのみ視認可能なインクが収容されるペン本体部自体の製造に当たっては、インクの種類を除いて通常のペン本体部製造工程と全く同様の製造ライン、型などを用いることができ、製造コストが大幅に上昇することはなく、実用に適している。また、ペン本体部だけでなく、キャップや尾栓とも全く別途に成形され、キャップや尾栓に連結可能な構成の支持部材を用いた場合には、紫外線照射部を備えた支持部材を除いた部分の構造が、通常の筆記具と全く同じとなり、通常の筆記具の製造ライン、型などを全く変更することなく、紫外線照射部を実質的に一体化した筆記具を提供でき、汎用性に富む。
【考案を実施するための最良の形態】
【００１３】
　以下、図面に示した本考案の実施例に基づき、本考案をさらに詳細に説明する。
【実施例１】
【００１４】
　図１は、本考案の実施例１の構造を模式的に示す図である。図において１０はペン本体部、２０はキャップ、３０は尾栓である。ペン本体部１０は、ボディー部１１の内部にインク収容部（図示せず）を備え、インク収容部に連結されて先端がボディー部１１から突出する芯部材１２を備えている。また、ボディー部１１の後端には尾栓３０が嵌合されて装着されている。本実施例のペン本体部１０及び尾栓３０の構造は、従来、一般に市販されているサインペンなどの筆記具形状と全く同様のものであり、図においてボディー部１１の形状を断面円形で示しているが、楕円形、多角形等であってもよい。
【００１５】
　ボディー部１１内に配設されるインク収容部は、インクを含浸して保持することができる発泡体やフェルト、あるいはインクタンク等から構成され、芯部材１２は、かかるインク収容部に保持されたインクを、ボディー部１１から突出する先端まで誘導し、筆記対象物にインクを付着させるものであればどのようなものであってもよく、例えば、フェルト、アクリル芯等を用いることができる。
【００１６】
　本実施例においてインク収容部に収容され保持されるインクは、可視光下では視認できないが、紫外線を照射することにより、例えば青白く発色するインクである。このようなインクとしては、例えば、日本化薬株式会社製、製品名「カヤホールＰＢＳ」等を用いることができる。かかるインクを用いることにより、紙などの筆記対象物に文字や図柄を筆記した場合、可視光下では記載されている内容を把握することはできないが、紫外線を照射することにより初めてその内容を把握することが可能となる。かかるインクを用いることにより、紫外線照射下においてのみ筆記内容を把握することを可能にし、趣味性、娯楽性を持たせるものであるため、筆記した際に着色は見えないにしても筆記の痕跡が残る場合には、楽しみに欠ける。従って、芯部材１２としては、筆記の痕跡が残り易い先端の硬いものは好ましくなく、上記のように、フェルト、アクリル芯等を用いることが好ましい。
【００１７】
　ペン本体部１０に対しては、芯部材１２が突出している方向からキャップ２０が着脱可能に装着される。このキャップ２０は、本実施例において紫外線照射部２２を支持する支持部材となるものである。従って、上記したペン本体部１０及び尾栓３０が、使用するインクを除き、市販の通常のサインペン等と全く同じものを用いることができるのに対し、キャップ２０は、通常のサインペン等で用いられるものと異なっている。すなわち、このキャップ２０は、略筒状に形成され、ペン本体部１０との対向部に、該ペン本体部１０に嵌合又は螺合する連結凹部２１が形成され、反対側の端面には、紫外線照射部２２が外部に露出して設けられている。また、連結凹部２１と紫外線照射部２２との間には、電池や回路など（図示せず）が組み込まれており、キャップ２０の側部にスイッチ２３を突出させ、該スイッチ２３を操作することにより紫外線照射部２２を点灯させ、紫外線を照射可能に構成されている。なお、紫外線照射部２２としては、紫外線を発光する光源であればよく、例えば、紫外線発光ランプや紫外線発光ダイオードを用いることができる。また、紫外線照射部２２やスイッチ２３の配設位置は図に示した位置に限定されるものではない。
【００１８】
　本実施例によれば、まず、通常のサインペンなどと同様に、キャップ２０を外し、ペン本体部１０を把持して任意の文字や図柄を紙などの筆記対象物に筆記する。筆記した文字や図柄などの筆記内容は、可視光下では視認できない。筆記内容を把握する際には、キャップ２０を持って、スイッチ２３を操作し、紫外線照射部２２から紫外線を照射する。これにより、文字や図柄などが青白く浮かび上がり、これらを視認することができる。この際、キャップ２０は、ペン本体部１０と常に一体的に持ち運ばれ、筆記している際にも、ペン本体部１０の後端部に設けた尾栓３０に連結凹部２１を嵌合して用いられるか、外したままであっても使用しているペン本体部１０の近辺においておかれるものである。従って、本実施例では、ペン本体部１０の構造を通常のサインペンなどと同様の製造ラインや型で製造できるものを使用しているにも拘わらず、紫外線照射部２２を筆記具の一部として組み込んでおり、一方を無くしたりすることがない。
【実施例２】
【００１９】
　図２は、本考案の実施例２の構造を模式的に示す図である。本実施例においては、ペン本体部１０の構造は上記実施例１と全く同様の構造である。キャップ２０及び尾栓３０の構造が異なる。すなわち、上記実施例１においては、キャップ２０に紫外線照射部２２を組み込んでいるが、本実施例では、ペン本体部１０だけでなく、キャップ２０も、一般に市販されているサインペンなどの筆記具に用いられているものと同様のものを用いており、尾栓３０に紫外線照射部３２を組み込み、尾栓３０を紫外線照射部３２を支持する支持部材として用いている。
【００２０】
　具体的には、尾栓３０を中空に形成し、その後端に紫外線照射部３２としての紫外線発光ランプや紫外線発光ダイオードを設け、その内部に電池や回路などを収容した構成である。スイッチ３３は尾栓３０の側部に突出するように設けている。もちろん、紫外線照射部３２やスイッチ３３の配設位置はこれに限定されるものではない。
【００２１】
　本実施例によれば、尾栓３０のみを一般に市販されているものと異なる形態で、すなわち、紫外線照射部３２、スイッチ３３及び電池などを組み込み可能に形成するだけで、ペン本体部１０やキャップ２０は通常のサインペンなどと同様の製造ラインや型を用いて製造できる。従って、低コストで、紫外線照射部一体型の筆記具を提供することができる。使用する際には、実施例１と同様に、キャップ２０を外してペン本体部１０によって文字や図柄を記し、視認する際には、尾栓３０の紫外線照射部３２を筆記した部分に向けてスイッチ３３をオンし、紫外線を照射すればよい。
【実施例３】
【００２２】
　図３〜図５は、本考案の実施例３に係る３つの態様の構造を模式的に示す図である。すなわち、本実施例においては、ペン本体部１０、キャップ２０及び尾栓３０の構造は、全て一般に市販されているサインペンなどの筆記具に用いられているものと同様のものを用いている。もちろん、ペン本体部１０内のインク収容部に収容されるインクは、実施例１で説明したように、可視光下では視認できないが、紫外線を照射することにより、例えば青白く発色するものである。
【００２３】
　本実施例においては、このように、ペン本体部１０、キャップ２０及び尾栓３０の構造を、一般に市販されているものと同様にしても、後付けで、紫外線照射部一体型の筆記具とすることができることに特徴がある。すなわち、本実施例では、紫外線照射部を支持する支持部材として、ペン本体部１０の尾栓３０側から、ボディー部１１の少なくとも一部に連結可能な筒状部材、あるいはキャップ２０に連結可能な筒状部材を用いたものである。
【００２４】
　まず、図３は、透明アクリルから形成された所定長さの筒状部材４０を、尾栓３０側からボディー部１１の回りに装着した態様を示している。この筒状部材４０は、ボディー部１１の回りに装着した際に、その先端が芯部材１２の先端付近に位置するように設けられ、ボディー部１１に隣接して、芯部材１２方向に向かって紫外線照射部４２を設けた構成である。スイッチ４３は、筒状部材４０の側部に設け、筒状部材４０の内部には電池、回路などを組み込んでいる。従って、本態様によれば、キャップ２０を外して筆記した際には、そのまま、ペン本体部１０の向きを変えることなく、スイッチ４３の操作によって紫外線照射部４２から紫外線を照射することができる。
【００２５】
　図４に示した態様は、キャップ２０の先端側から筒状部材５０を連結可能に設けた構造である。筒状部材５０は、キャップ２０に嵌合や螺合により連結可能な連結凹部５１が形成されており、端面に紫外線照射部５２が設けられ、側部にスイッチ５３が設けられている。本態様においても、キャップ２０に筒状部材５０を連結するだけで後付けで紫外線照射部５２を一体化することができる。筒状部材５０は、キャップ２０に連結された後は、キャップ２０と常に一体的に保持されるため、筆記具の一部を構成することになり、無くしたりすることがない。
【００２６】
　図５に示した態様は、連結凹部６１を有する筒状部材６０を尾栓３０側に装着し、ボディー部１１の後端部に連結した構造である。筒状部材６０の端面に紫外線照射部５２６２を配置し、側部にスイッチ６３を設けており、ペン本体部１０に実質的に一体化されるため、後付けでありながら、上記各態様と同様に筆記具の一部を構成することになる。なお、図５においては筒状部材６０の連結凹部６１の一部をボディー部１１の後端にも嵌合させているが、尾栓３０のみに嵌合させ、該尾栓３０を介して間接的にボディー部１１に連結する構造であってもよい。
【００２７】
　本実施例によれば、図３〜図５に示したいずれの態様においても、支持部材としての筒状部材４０，５０，６０を装着するだけで、後付けで紫外線照射部一体型の筆記具とすることができる。従って、一般に市販されているサインペン等の製造ラインや型を全く変更することなく、インクの種類を変更するだけで、ペン本体部１０、キャップ２０及び尾栓３０からなる組み合わせを製造でき、別途に製造した紫外線照射部４２，５２，６２を具備する筒状部材４０，５０，６０を後付けで装着するだけで済むため、実用性、汎用性に富む。
【図面の簡単な説明】
【００２８】
【図１】実施例１に係る筆記具を模式的に示す図である。
【図２】実施例２に係る筆記具を模式的に示す図である。
【図３】実施例３の第１の態様に係る筆記具を模式的に示す図である。
【図４】実施例３の第２の態様に係る筆記具を模式的に示す図である。
【図５】実施例３の第３の態様に係る筆記具を模式的に示す図である。
【符号の説明】
【００２９】
　１０　ペン本体部
　１１　ボディー部
　１２　芯部材
　２０　キャップ
　３０　尾栓
　４０，５０，６０　筒状部材
　２２，３２，４２，５２，６２　紫外線照射部
【図１】
0003099008.tif 000003
【図２】
0003099008.tif 000004
【図３】
0003099008.tif 000005
【図４】
0003099008.tif 000006
【図５】
0003099008.tif 000007